(57)【要約】【課題】スピーカの位置が調整可能な耳掛け型イヤホンにおいて、調整されたスピーカの位置がずれるのを防止することが出来るイヤホンを提供する。【解決手段】スピーカ１１を収容する本体部１２とこの本体部１２に連結されているハンガ１３の基端部分に、ハンガ１３を本体部１２に対してスライド自在に支持するスライド機構が設けられ、ハンガ１３の基端部分に複数個の係合スリット１３Ｂａ〜１３Ｂｃが形成され、本体部１２に、係合スリット１３Ｂａ〜１３Ｂｃと係合することによってハンガ１３をスライド不能に係止する係止リブ１４Ｂを有するストッパ１４が、ハンガ１３の係止位置とその係止解除位置との間でスライド自在に取り付けられている。【選択図】      図４
2005072643.tif 000002
【特許請求の範囲】
【請求項１】
耳掛け用ハンガによってスピーカを耳部に装着する耳掛け型イヤホンにおいて、
前記スピーカを収容する本体ケーシングとこの本体ケーシングに連結されている耳掛け用ハンガの部分に、耳掛け用ハンガを本体ケーシングに対してスライド自在に支持するスライド機構が設けられているとともに、本体ケーシングに連結される耳掛け用ハンガの部分に、スライド機構によって耳掛け用ハンガがスライドする方向に沿って任意の位置に並設された複数個の係止用嵌合部が形成され、前記本体ケーシングに、耳掛け用ハンガのスライドによって所定の位置に位置された係止用嵌合部と係合することによって耳掛け用ハンガをスライド不能に係止する係止部を有するストッパ部材が、この係止部を耳掛け用ハンガの係止用嵌合部に係合させる係止位置と係止部と係止用嵌合部との係合を解除する係止解除位置との間で移動自在に取り付けられている、ことを特徴とするイヤホン。
【請求項２】
前記スライド機構が、本体ケーシングとこの本体ケーシングに連結されている耳掛け用ハンガの部分の何れか一方の側に形成された略上下方向に延びる溝部と、他方の側に形成されて一方の側に形成された溝部にスライド自在に嵌合される凸部を備えている請求項１に記載のイヤホン。
【請求項３】
前記スライド機構の凸部が、溝部に対して離脱不能に嵌合されている請求項１に記載のイヤホン。
【請求項４】
前記ストッパ部材が、本体ケーシングに対してスライド機構によって耳掛け用ハンガがスライドする方向とほぼ直交する方向にスライド自在に取り付けられている請求項１に記載のイヤホン。
【請求項５】
前記本体ケーシングにスライド機構によって耳掛け用ハンガがスライドする方向とほぼ直交する方向に延びるガイド溝が形成され、ストッパ部材が係止位置と係止解除位置との間でスライドされる際に、このガイド溝に沿ってストッパ部材の係止部がガイドされる請求項４に記載のイヤホン。
【請求項６】
前記ストッパ部材が係止解除位置から係止位置にスライドされる際に、係止部が本体ケーシングのガイド溝内からこのガイド溝に対向する位置に位置されている耳掛け用ハンガの係止用嵌合部内に突出することにより係止用嵌合部と嵌合する請求項５に記載のイヤホン。
【請求項７】
前記耳掛け用ハンガの各係止用嵌合部の本体ケーシングのガイド溝側に開口している端部が、ガイド溝側に向かって拡がる略扇状に成形されている請求項４に記載のイヤホン。
【発明の詳細な説明】
【０００１】
【発明の属する技術分野】
この発明は、耳掛け型のイヤホンの構成に関する。
【０００２】
【従来の技術】
近年、左右のスピーカを一本のヘッドバンドによって連結してリスナの頭部に装着するタイプのヘッドホンに代わって、左右のスピーカをそれぞれ耳部の形状に合わせて湾曲されたハンガによって左右別個にリスナの耳部に装着するいわゆる耳掛け型のイヤホンが普及して来ている。
【０００３】
このような耳掛け型イヤホンは、ハンガによってリスナの耳部に装着された際に、ハンガとリスナの耳穴との位置関係によってスピーカが位置決めされる位置とリスナの耳穴の位置とが一致しない場合には、音質の低下や音漏れなどが発生して、安定した音響再生を行うことが出来ない。
【０００４】
そこで、耳掛け型イヤホンには、従来、図１に示されるように、ハンガ２に対してスピーカ１の位置を調整可能にする調整機構３を備えたものがある（例えば、特許文献１参照）。
【０００５】
この従来の耳掛け型イヤホンの調整機構３は、シリンダ部３Ａ内にハンガ２の基端部に取り付けられているシャフト２Ａがスライド自在に内嵌されていて、このシャフト２Ｂ（すなわち、ハンガ２）がシリンダ部３Ａ（すなわち、スピーカ１）に対して上下方向にスライドされて、スピーカ１とハンガ２との間の相対的位置関係が調節されることにより、リスナが耳掛け型イヤホンを装着した際に、スピーカ１がリスナの耳穴に対して適正な位置に位置決めされるようになっている。
【０００６】
【特許文献１】
特開平９−６５４７４号公報
【０００７】
【発明が解決しようとする課題】
上記のような従来の耳掛け型イヤホンは、スピーカ１をハンガ２に対して任意の位置に位置調整した際に、調整機構３のシリンダ部３Ａの内周面とシャフト２Ｂの外周面との間の摩擦力によってハンガ２がスピーカ１に対してその調整位置に保持されるようになっている。
【０００８】
このため、この従来の耳掛け型イヤホンでは、リスナがこの耳掛け型イヤホンを装着する際や装着後に行う動作によって、スピーカ１とハンガ２との間に調整機構３のシリンダ部３Ａとシャフト２Ｂとの間の摩擦力以上の力が加わると、スピーカ１とハンガ２との相対位置が最初の調整位置からずれてしまい、音質の低下や音漏れなどが発生してしまって、その都度、調整し直さなければならないといった問題が発生している。
【０００９】
この発明は、上記のような従来の耳掛け型イヤホンにおける問題点を解決することを解決課題の一つとしている。
【００１０】
【課題を解決するための手段】
第１の発明（請求項１に記載の発明）によるイヤホンは、上記目的を達成するために、耳掛け用ハンガによってスピーカを耳部に装着する耳掛け型イヤホンにおいて、前記スピーカを収容する本体ケーシングとこの本体ケーシングに連結されている耳掛け用ハンガの部分に、耳掛け用ハンガを本体ケーシングに対してスライド自在に支持するスライド機構が設けられているとともに、本体ケーシングに連結される耳掛け用ハンガの部分に、スライド機構によって耳掛け用ハンガがスライドする方向に沿って任意の位置に並設された複数個の係止用嵌合部が形成され、前記本体ケーシングに、耳掛け用ハンガのスライドによって所定の位置に位置された係止用嵌合部と係合することによって耳掛け用ハンガをスライド不能に係止する係止部を有するストッパ部材が、この係止部を耳掛け用ハンガの係止用嵌合部に係合させる係止位置と係止部と係止用嵌合部との係合を解除する係止解除位置との間で移動自在に取り付けられていることを特徴としている。
【００１１】
【発明の実施の形態】
以下、この発明の最も好適と思われる実施の形態について、図面を参照しながら詳細に説明を行う。
【００１２】
図２ないし６は、この発明によるイヤホンの実施形態における一例を示す図面であって、図２はこの例におけるイヤホンの側面図，図３は同例のイヤホンの正面図，図４は同例のイヤホンの斜視図，図５は図２のＶ−Ｖ線における断面図，図６は図４のＶＩ−ＶＩ線における断面図である。
【００１３】
なお、この図２ないし６には、左右のイヤホンのうち右側の耳に装着する右耳用イヤホンについて示されているが、左耳用イヤホンは、この右耳用イヤホンに対して形状が面対称となるだけで、同様の構造を備えている。
【００１４】
この図２ないし６において、イヤホン１０は、スピーカ１１を収容する本体部１２と、この本体部１２に対して後述するように上下方向にスライド自在に取り付けられたハンガ１３と、本体部１２に対してハンガ１３のスライド方向と直交する方向（図２の左右方向）にスライド自在に取り付けられたストッパ１４とを備えている。
【００１５】
このイヤホン１０は、ハンガ１３が耳たぶ（図示のイヤホンの場合は右側の耳たぶ）の後ろ側に掛けられることによって、スピーカ１１が耳穴に対向する状態でリスナの耳部に装着される。
【００１６】
このイヤホン１０の本体部１２の外側面上（リスナの耳部に装着された際に耳穴と反対側に位置する面上）に、上下方向に延びる二本のレール溝１２Ａａ，１２Ａｂが形成されている。
【００１７】
このレール溝１２Ａａ，１２Ａｂは、図７に拡大して示されるように、本体部１２の外側面から外方に突出するように形成された突条部１２Ａｃを挟んで、上下にずれた位置に位置されるように（図示の例ではレール溝１２Ａａがレール溝１２Ａｂに対して下側に位置されるように）形成されている。
【００１８】
ハンガ１３の本体部１２に連結される基端部分の内面側に、図８に拡大して示されるように、上下方向に延びるように凹条部１３Ａが形成され、さらに、この凹条部１３Ａの図８において右側下部に係止突起１３Ａａが形成され、左側上部に係止突起１３Ａｂが形成されている。
【００１９】
そして、このハンガ１３の凹条部１３Ａに本体部１２の突条部１２Ａｃが嵌合されるとともに、係止突起１３Ａａがレール溝１２Ａａ内に嵌入され、係止突起１３Ａｂがレール溝１２Ａｂ内に嵌入されて、係止突起１３Ａａと係止突起１３Ａｂのそれぞれの先端部に形成されている鉤部がレール溝１２Ａａ，１２Ａｂの内側部分に係合されることにより、ハンガ１３の基端部分が本体部１２に対して、上下方向にスライド自在に、かつ、離脱不能に連結されている。
【００２０】
これによって、本体部１２をハンガ１３に対して相対的に上下動させることにより、スピーカ１１に対するハンガ１３の上下位置が調整可能になっている。
【００２１】
ハンガ１３の基端部分の外面側に、図４に示されるように、内面側に形成された凹条部１３Ａと直角方向に延びるとともにイヤホン１０の後方側（図２において左側）端部が開放されている複数本（図示の例では三本）の係合スリット１３Ｂａ〜１３Ｂｃが、凹条部１３Ａの軸方向に沿って互いに所定の間隔を開けて平行に形成されている。
【００２２】
本体部１２の外側面上のレール溝１２Ａａ，１２Ａｂが形成されている部分よりも後方側位置（図２において左側位置）に、図６に拡大して示されるように、後述するストッパ１４のスライドをガイドする幅広のレール部１２Ｂが、本体部１２の外方に突出するとともに前後方向（図２の左右方向）に延びるように形成されている。
【００２３】
このレール部１２Ｂの前端部は、上下方向に延びてハンガ１３の基端部分のスライド方向と平行な直線状に成形されていて、後述するように、このレール部１２Ｂの前端部に沿ってハンガ１３の基端部分がスライドするようになっている。
【００２４】
このレール部１２Ｂの上下の側面には、前後方向（図２の左右方向）に延びる凸条部１２Ｂａがそれぞれ形成され、さらに、外側面（図２の正面側）の中央部に、前後方向（凸条部１２Ｂａと平行でハンガ１３の基端部分がスライドする方向に対して直角方向）に延びるとともに前端部がレール部１２Ｂの前端面（ハンガ１３の基端部分に対向する面）に開口された係止リブガイド溝１２Ｂｂが形成されている。
【００２５】
ストッパ１４の背面側には、図６に示されるように、本体部１２のレール部１２Ｂを収容する大きさの凹部１４Ａが形成され、さらに、この凹部１４Ａの上側内壁面および下側内壁面に、それぞれストッパ１４の前後方向に互いに平行に延びるガイド溝１４Ａａが形成されている。
【００２６】
このガイド溝１４Ａａ，１４Ａｂには、本体部１２に形成されたレール部１２Ｂの凸条部１２Ｂａがそれぞれスライド自在に係合することによって、ストッパ１４が、本体部１２に対して、前後方向にスライド自在にされ取り外し可能な構造となっている。
【００２７】
ストッパ１４の前部中央の背面側には、凹部１４Ａ内においてその背壁面から背面側に突出する係止リブ１４Ｂが形成されていて、ストッパ１４が本体部１２のレール部１２Ｂに装着されている状態で、係止リブ・ガイド溝１２Ｂｂ内にスライド自在に嵌合されている。
【００２８】
そして、この係止リブ１４Ｂは、ストッパ１４が本体部１２に対して前進位置（図２に示されている位置）に位置されている時に、後述するように、係止リブ・ガイド溝１２Ｂｂから離脱して、ハンガ１３の係合スリット１３Ｂａ〜１３Ｂｃのうち係止リブ・ガイド溝１２Ｂｂに対向する位置に位置されている係合スリット内に嵌合されるようになっている。
【００２９】
上記イヤホン１０は、スピーカ１１とハンガ１３の位置がリスナの耳部の形状に合わせて調整される際には、図４に示されるように、ストッパ１４が本体部１２に対して後方にスライドされる。
【００３０】
このとき、ストッパ１４は、そのガイド溝１４Ａａと本体部１２のレール部１２Ｂの凸条部１２Ｂａとの係合関係によって、レール部１２Ｂから離脱することなく、後方に水平にガイドされる。
【００３１】
これによって、ストッパ１４の係止リブ１４Ｂが、それまで係合していたハンガ１３の係合スリット１３Ｂａまたは１３Ｂｂ，１３Ｂｃから離脱して本体部１２の係止リブ・ガイド溝１２Ｂｂ内に進入した後、この係止リブ・ガイド溝１２Ｂｂに沿って後方に待避する。
【００３２】
この後、本体部１２がハンガ１３の上部の湾曲部分に対して接近または離間する方向に付勢されると、ハンガ１３の本体部１２に連結されている基端部分に形成されている凹条部１３Ａと本体部１２の突条部１２Ａｃとの係合関係によって、ハンガ１３が本体部１２に対してガイドされながら上下方向にスライドされる。
【００３３】
このとき、ハンガ１３の基端部分は、この基端部分に形成されている係止突起１３Ａａと１３Ａｂが本体部１２のレール溝１２Ａａと１２Ａｂの内側に係合されていることによって、本体部１２に対して離脱不能に保持された状態で、レール部１２Ｂの前端縁に沿って上下動される。
【００３４】
そして、本体部１２とハンガ１３の湾曲部分の上部との間の間隔がリスナの耳部の形状に合った大きさになったときに、ハンガ１３の係合スリット１３Ｂａ〜１３Ｂｃのうちの何れかがレール部１２Ｂの係止リブ・ガイド溝１２Ｂｂに対向する位置に位置決めされた状態で、ハンガ１３のスライドが停止される。
【００３５】
この後、ストッパ１４が、前方向にスライドされ、本体部１２のレール部１２Ｂの係止リブ・ガイド溝１２Ｂｂ内に後退していたストッパ１４の係止リブ１４Ｂが前進して、係止リブ・ガイド溝１２Ｂｂ内から、この係止リブ・ガイド溝１２Ｂｂに対向する位置に位置されているハンガ１３の係合スリット１３Ｂａまたは１３Ｂｂ，１３Ｂｃに進入して嵌合される（図２参照）。
【００３６】
これによって、ハンガ１３が本体部１２に対してスライド不能に係止されて、リスナの耳部への装着の際や装着後のリスナの動作によって、ハンガ１３の調整位置がずれたりするのが防止される。
【００３７】
そして、本体部１２とハンガ１３の相対的位置を再度調整する必要があるときには、上記の動作を繰り返して、ストッパ１４の係止リブ１４Ｂと係合するハンガ１３の係合スリット１３Ｂａ〜１３Ｂｃを変更することにより、ハンガ１３が本体部１２に対して所望の位置に調整されて固定される。
【００３８】
ここで、ストッパ１４の前進動作に伴って係止リブ１４Ｂが、本体部１２の係止リブ・ガイド溝１２Ｂｂ内からこの係止リブ・ガイド溝１２Ｂｂに対向する位置に位置されているハンガ１３の係合スリット１３Ｂａまたは１３Ｂｂ，１３Ｂｃ内に進入して嵌合される際に、係合スリット１３Ｂａまたは１３Ｂｂ，１３Ｂｃが係止リブ・ガイド溝１２Ｂｂに対向する位置に正確に位置されていない場合でも、図４に示されるように、係合スリット１３Ｂａ〜１３Ｂｃのそれぞれの開口端が外方に向かって略扇状に広がるように成形されていることにより、係止リブ１４Ｂがこの係合スリット１３Ｂａまたは１３Ｂｂ，１３Ｂｃの開口部の傾斜面上を摺動して、ハンガ１３を係合スリット１３Ｂａまたは１３Ｂｂ，１３Ｂｃが係止リブ・ガイド溝１２Ｂｂに正確に対向する方向に付勢しながら係合スリット１３Ｂａまたは１３Ｂｂ，１３Ｂｃ内に進入するので、係止リブ１４Ｂと係合スリット１３Ｂａ〜１３Ｂｃとの係合を容易に行うことが出来る。
【００３９】
上記の例においては、ハンガ１３に三個の係合スリット１３Ｂａ〜１３Ｂｃが形成されていることによって、ハンガ１３の位置を本体部１２に対して三段階に調整することが出来るが、この係合スリットは二個でもよく、また、４個以上設けることによってさらに細かく位置調整を行うことが出来るようにすることが出来る。
【００４０】
上記例におけるイヤホンは、耳掛け用ハンガによってスピーカを耳部に装着する耳掛け型イヤホンにおいて、前記スピーカを収容する本体ケーシングとこの本体ケーシングに連結されている耳掛け用ハンガの部分に、耳掛け用ハンガを本体ケーシングに対してスライド自在に支持するスライド機構が設けられているとともに、本体ケーシングに連結される耳掛け用ハンガの部分に、スライド機構によって耳掛け用ハンガがスライドする方向に沿って任意の位置に並設された複数個の係止用嵌合部が形成され、前記本体ケーシングに、耳掛け用ハンガのスライドによって所定の位置に位置された係止用嵌合部と係合することによって耳掛け用ハンガをスライド不能に係止する係止部を有するストッパ部材が、この係止部を耳掛け用ハンガの係止用嵌合部に係合させる係止位置と係止部と係止用嵌合部との係合を解除する係止解除位置との間で移動自在に取り付けられている実施形態のイヤホンを、その上位概念の実施形態としている。
【００４１】
この上位概念を構成するイヤホンは、耳掛け用ハンガを耳たぶの後ろ側に掛けることによってリスナの耳部に装着される。
【００４２】
このとき、耳掛け用ハンガとリスナの耳部の形状との関係で、スピーカの位置がリスナの耳穴の位置からずれる場合には、リスナは、本体ケーシングにスライド自在に取り付けられているストッパ部材をその係止位置から係止解除位置に移動させて、係止部と係止用嵌合部との係合を解除する。
【００４３】
この後、リスナは、耳掛け用ハンガをスライド機構によって所要の方向にスライドさせて、それまでストッパ部材の係止部と係合していた係止用嵌合部とは別の任意の係止用嵌合部を係止部との係合が行われる所要の位置に位置させる。
【００４４】
そして、ストッパ部材を係止解除位置から係止位置の方向に移動させて、耳掛け用ハンガに設けられている複数の係止用嵌合部のうち所要の位置に位置されている係止用嵌合部に係止部を嵌合させる。
【００４５】
これによって、耳掛け用ハンガと本体ケーシングとの間の相対的位置がリスナの耳部の形状に合った態様で調整され、リスナがこのイヤホンを装着した際に、スピーカの位置がリスナの耳穴に対向する位置に位置されるようになる。
【００４６】
そして、この位置調整された耳掛け用ハンガは、その係止用嵌合部とストッパ部材の係止部との係合によって本体ケーシングに対して移動不能に係止されるので、リスナが耳部に装着する際や装着後のリスナの動作によって耳掛け用ハンガが本体ケーシングに対して移動してスピーカの位置がずれてしまうのが防止される。
【図面の簡単な説明】
【図１】従来のイヤホンを示す側面図である。
【図２】この発明によるイヤホンの一例を示す側面図である。
【図３】同例におけるイヤホンを示す正面図である。
【図４】同例におけるイヤホンを示す斜視図である。
【図５】図２のＶ−Ｖ線における断面図である。
【図６】図４のＶＩ−ＶＩ線における部分断面図である。
【図７】同例における本体部のスライド機構を示す部分拡大図である。
【図８】同例におけるハンガのスライド機構を示す部分拡大図である。
【符号の説明】
１０                  …イヤホン
１１                  …スピーカ
１２                  …本体部（本体ケーシング）
１２Ａａ，１２Ａｂ  …レール溝（スライド機構，溝部）
１２Ａｃ                      …突条部（スライド機構，凸部）
１２Ｂ                        …レール部
１２Ｂａ                      …凸条部
１２Ｂｂ                      …係止リブ・ガイド溝（ガイド溝）
１３                        …ハンガ（耳掛け用ハンガ）
１３Ａ                      …凹条部（スライド機構，溝部）
１３Ａａ，１３Ａｂ  …係止突起（スライド機構，凸部）
１４                        …ストッパ（ストッパ部材）
１４Ａａ              …ガイド溝
１４Ｂ                …係止リブ（係止部）
【図１】
2005072643.tif 000003
【図２】
2005072643.tif 000004
【図３】
2005072643.tif 000005
【図４】
2005072643.tif 000006
【図５】
2005072643.tif 000007
【図６】
2005072643.tif 000008
【図７】
2005072643.tif 000009
【図８】
2005072643.tif 000010